(57)【要約】【課題】  炭を住宅用壁材としての使用の仕方において、壁内への収納配設の構造が複雑で厄介でありこれを簡易化すること、室内に対して炭の活性機能が効率良く且つ長期に渡って作用を及ぼすように使用すること。【解決手段】  本発明に係る壁材構造及び壁材ユニットは、内側壁板と外側壁板で形成される壁材構造の内部を仕切部材を用いて複数段の収納空間部が少なくとも上下方向に通気用間隙をもって形成され、該各収納空間部に所要量の棒状の活性炭をそれぞれ収納配設し、前記内部壁板の上部と下部とに前記通気用間隙に通じる開口部を設けたことによって、収納される棒状の活性炭は固定させる必要がなく、例えば、新築の住宅等の壁材として、その内部に活性炭をそのまま収納空間部内に載置して容易に収納させることができ、しかも、塊の状態で収納されることによって長期に渡って消臭・吸湿及びマイナスイオンの発生機能を発揮させることができるものである。【選択図】図１
2006336210.tif 000002
【特許請求の範囲】
【請求項１】
内側壁板と外側壁板で形成される壁材構造の内部を仕切部材を用いて複数段の収納空間部が少なくとも上下方向に通気用間隙をもって形成され、該各収納空間部に所要量の棒状の活性炭をそれぞれ収納配設し、前記内部壁板の上部と下部とに前記通気用間隙に通じる開口部を設けたこと
を特徴とする壁材構造。
【請求項２】
前記開口部には、フィルター部材を配設したこと
を特徴とする請求項１に記載の壁材構造。
【請求項３】
前記収納空間部にネット状部材を配設したこと
を特徴とする請求項１に記載の壁材構造。
【請求項４】
請求項１乃至３に記載の壁材構造をユニット化した壁材ユニット。
【発明の詳細な説明】
【技術分野】
【０００１】
本発明は、住宅などの居住空間に、例えばマイナスイオンを発生させると共に、吸湿・消臭を行って快適な空間とするために木炭または竹炭を組み込んだ壁材構造及び壁材ユニットに関するものである。
【背景技術】
【０００２】
従来、壁内に木炭または竹炭等の炭を収納する技術としては、例えば、住宅等の部屋に面する第一壁材及び該第一壁材に相対する第二壁材を有する壁の壁内空間に、炭を収容する炭の壁内施工方法であって、前記第一壁材に孔を穿設する孔穿設工程と、前記孔を通して、前記壁内空間に前記炭を投入する炭投入工程とを有し、前記孔穿設工程で前記第一壁材に穿設した前記孔によって前記壁内空間及び前記部屋を通気させる炭の壁内施工方法がある（特許文献１参照）。
【０００３】
また、外壁と内壁の間に炭を充填してなる壁面工法であって、炭を通気性のある袋に充填し、この袋を、外壁と内壁の間で、壁面構造の縦桟の間に配置し、前記袋の耳部を前記縦桟に固定するようにした壁面工法の技術がある（特許文献２参照）。
【０００４】
更に、通気性を有する内側部材及び外側部材と、当該内側部材と外側部材との間に設けられている中間部材とを備え、該中間部材は通気性を有する包被体と当該包被体に包まれている炭とよりなる炭袋である建築用構造体の技術がある（特許文献３参照）。
【０００５】
【特許文献１】特開２００４−７６３２３号公報
【特許文献２】特開２０００−２４０１７８号公報
【特許文献３】特開２０００−２５７１７９号公報
【発明の開示】
【発明が解決しようとする課題】
【０００６】
しかしながら、前記特許文献１の公知技術においては、既存の住宅を対象とし、既存の住宅における壁材に対して孔を穿設する工程と、その孔から壁内空間に炭を投入する工程とからなるというものであるが、既存の壁材が相対する第一壁材と第二壁材とがあり、且つ両者間に壁内空間を有することが要件になっており、しかも、その壁内空間に横桟が存在していないと投入した炭が壁内空間内部に留まっているか不明であるし、また、横桟によって壁内空間が上下方向において遮断された状態になっており、上下の孔間において通気できないという不都合がある。
【０００７】
また、前記特許文献２の公知技術においては、外壁と内壁の間に縦桟が設けられる壁面構造であって、炭を通気性のある袋に充填して縦桟の間に配置し、その袋の耳部を前記縦桟に固定するというものであって、一応、縦桟の間において上下方向に空気が流通できる構成になってはいるが、内壁との関係で室内への空気の流通がなされる構成にはなっていないのである。つまり、壁の内部では除湿や脱臭が成されていると認められるが、その影響が室内に及ぶことは少ないという問題点を有している。
【０００８】
更に、前記特許文献３の公知技術においては、外壁と内壁との間に所定の間隔を有する壁構造であって、その間隔内において炭が収納された炭袋をピンを用いて外壁側に取り付けるというものであり、その間隔の内部において上下方向に流通路が形成され、外壁と内壁が合板で形成されているので通気性があり、室内が高湿になると合板を通して炭が湿気を吸収し、低湿になると吸収した湿気を放出するとしているが、合板自体が吸湿性を有しているし、また、合板で仕切られた間隙内はともかくとして、室内の湿気に対して間隙内の炭ではそれ程影響を及ぼさないものである。
【０００９】
いずれにしても、従来例における炭の住宅用壁材としての使用の仕方において、壁内への収納配設の構造が複雑で厄介でありこれを簡易化すること、室内に対して炭の活性機能が効率良く且つ長期に渡って作用を及ぼすように使用することに解決課題を有する。
【課題を解決するための手段】
【００１０】
上記した従来例の課題を解決する具体的手段として本発明に係る壁材構造及び壁材ユニットは、内側壁板と外側壁板で形成される壁材構造の内部を仕切部材を用いて複数段の収納空間部が少なくとも上下方向に通気用間隙をもって形成され、該各収納空間部に所要量の棒状の活性炭をそれぞれ収納配設し、前記内部壁板の上部と下部とに前記通気用間隙に通じる開口部を設けたことを最も主要な特徴とする。
【００１１】
この発明において、前記開口部には、フィルター部材を配設したこと；及び前記収納空間部にネット状部材を配設したことを付加的な要件として含むものである。
【発明の効果】
【００１２】
本発明に係る壁材構造は、その内部に複数段の収納空間部が少なくとも上下方向に通気用間隙をもって形成されており、該各収納空間部に所要量の棒状の活性炭をそれぞれ収納配設したものであるので、収納される棒状の活性炭は固定させる必要がなく、例えば、新築の住宅等の壁材として、その内部に活性炭をそのまま収納空間部内に載置して容易に収納させることができ、しかも、塊の状態で収納されることによって長期に渡って消臭・吸湿及びマイナスイオンの発生機能を発揮させることができるという優れた効果を奏する。
【発明を実施するための最良の形態】
【００１３】
次に、本発明を具体的な実施の形態に基づいて詳しく説明する。
本発明の実施の形態に係る壁材構造の略示的な斜視図を図１に示し、その要部の断面図を図２に示してある。壁材構造としては、内側壁板１と外側壁板２とが所要間隙をもって配設され、その内側壁板１と外側壁板２とで形成される壁の内側の空間を複数の間柱３と胴縁等の対峙する一対の横桟部材４とにより格子状に仕切って複数段の収納空間部５を形成し、これら収納空間部５は少なくとも上下方向に通気用間隙６を介して空気が流通できるようになっている。この場合に、間柱３と横桟部材４とは、要するに収納空間部５を形成するための仕切部材ということになるのである。
【００１４】
収納空間部５には棒状の活性炭、即ち、木炭７が通気用間隙６を横切るようにして多数本が隣接状態に収納配設される。この場合に、棒状の木炭７の長さは、例えば、内側壁板１と外側壁板２とで形成される壁の内側の空間の幅と略一致する長さに揃えて形成しておき、通気用間隙６を横切るようにして且つ隣接状態に多数本が並べられて、対峙する横桟部材４上に敷き詰められるようにすれば、通気用間隙６から落下する虞がないので固定しなくても良いのである。
【００１５】
また、木炭の径はそれぞれ区々であることから、例えば、対峙する横桟部材４の上縁部に比較的浅い弧状の切り込み等からなる多数の凹凸部４ａを形成して置くことにより、大径の木炭７ａと小径の木炭７ｂとが通気用間隙６から落下することなく、また隣接状態で且つ転動することなく整然と並べられて収納配設することができるのである。
【００１６】
更に、各収納空間部５において、例えば、横桟部材４の上部にネット状部材８を取り付けることによって各収納空間部５の下部が、通気用間隙６を遮蔽することなくネット状部材８で一応仕切られることになり、そのネット状部材８の上に大小様々な形状を有する木炭７を雑多に載置して、最上段から最下段までの収納空間部５に収納配設することができるのである。
【００１７】
使用されるネット状部材８としては、例えば、目の小さい金網でも良いし、成型したプラスチック製の網板等でも良い。要するに、横桟部材４の上部に載置して、例えば、ステップル等によって横桟部材４に定着させ、上下方向に流通する通気用間隙６を遮蔽することなく、最上段から最下段まで通気性を維持させて各収納空間部５が一応確立される状態になれば良いのである。
【００１８】
このように壁材構造の内部に、仕切部材（間柱３と横桟部材４）によって、複数段の収納空間部５が形成され、これら各収納空間部５に所要量の木炭７を収納配設させる構成であって、壁構造の内部に木炭７が配設されているので、この壁構造を有する部屋においては、消臭・吸湿及びマイナスイオンを発生させる機能を有するものであるが、その機能を更に高めるために、内部の通気用間隙６を利用して、室内との空気の循環が行なえるようにする。      
【００１９】
その循環が行える具体的な構成としては、図５及び図６に示したように、例えば、内側壁板１の上部と下部とに、それぞれ内部の通気用間隙６に連通する開口部９、１０を設け、該開口部９、１０は通気用間隙６を介して内部の収納空間部５の最上段と最下段とを連通させるように構成する。
【００２０】
これら上下の開口部９、１０は、フィルタ部材１１、１２によって表面的には体裁良く施蓋された状態になっている。この場合のフィルタ部材１１、１２は、例えば、スリット状の貫通孔を有するものであっても良いし、また、直径の小さい丸孔状の貫通孔であっても良く、更に、目の粗い生地を貼り付けたフレームであっても良いのである。要するに、開口部９、１０を塞ぎ、上下の収納空間部５が通気用間隙６を介して外部（室内）と連通状態になり、空気が自由に流通し循環する構成であれば良いのである。
【００２１】
このような構成にすることにより、室内と壁材構造の内部との温度差等によって、室内と壁材構造の内部との間で空気の循環現象が生じ、それによって収納空間部５及び通気用間隙６を通過した空気は収納してある木炭７に接触して、複数段に渡って必然的に浄化されるのであり、この壁材構造を使用した室内の空気は、消臭・吸湿され浄化されるようになるのである。
【００２２】
また、図示はしていないが、前記フィルター部材１１が取り付けられている最上段の収納空間部５内の一部に、例えば、タイマー付きの換気扇等の空気循環手段を配設させ、スイッチをオンさせた時に、例えば、３０分間程度駆動して、壁材構造の収納空間部５内に強制的に空気を流通させて室内との循環を図るようにしても良い。この場合に使用される換気扇等の空気循環手段は、騒音を発しない程度の比較的小型で小さい出力（馬力）のもので良いのである。
【００２３】
上記した実施例においては、建て込み式の壁材構造であるが、これをユニット式にして簡単に組み付けられる構造にすることができる。この場合は、例えば、和式の間仕切り寸法として、全体の高さを９尺、幅を６尺に設定して、外側壁板２に対して予め間柱３と横桟部材４とを組み付けた構成にしておき、これを新築の住宅の壁に取り付け、その後に所要量の活性炭、即ち、木炭７を収納空間部５に納めてから内側壁板１を取り付けることによって、簡単に壁材構造が構築できるし、また、例えば、高層マンション等のコンクリート壁面に対しても、その壁面に添ってユニット式の壁材構造をセットすれば、簡単に取り付けることができるのである。
【００２４】
また、内側壁板１と外側壁板２とで形成される壁材構造が、部屋の間仕切りになるような構造の場合には、両壁板１、２が共に部屋の内側壁になるのであるから、前記した開口部９、１０は、内側または外側とは言わず両壁板１、２の両方に連通する形で設ければ良いし、それに合わせてフィルタ部材１１、１２を取り付ければ良いのである。そして、収納空間部５内に収納配設する活性炭として、木炭７の代わりに竹炭でも良いし、また、木炭と竹炭との混合物であっても良い。
【産業上の利用可能性】
【００２５】
いずれにしても、本発明においては、壁材構造の内部に所要の仕切部材（間柱３と横桟部材４）によって少なくとも上下方向に連通する多数段の収納空間部５を形成し、その各収納空間部５内に、粉末にしない塊状の活性炭をそのまま収納配設するものであって、壁材の内側に、要するに、活性炭が存在することから、その壁材で囲まれた空間、即ち、部屋の内部空間は、活性炭の持つ脱臭・吸湿作用及びマイナスイオンの発生機能によって、常に快適な空間にすることができるのであり、一戸建ての住宅に限らず高層マンションであっても適用できるのであり、壁材構造として有効に広く利用できるのである。
【図面の簡単な説明】
【００２６】
【図１】本発明の実施の形態に係る壁材構造の一部を分離して略示的示した斜視図である。
【図２】同壁材構造の一部を略示的に示した断面図である。
【図３】同壁材構造における仕切部材の変形例を拡大して示した一部の斜視図である。
【図４】同壁材構造における収納空間部をの他の例の一部を略示的に示した斜視図である。
【図５】同壁材構造においてフィルター部材の使用状況における室内を略示的に示した斜視図である。
【図６】同壁材構造におけるフィルター部材の取付状況における要部を略示的に拡大して示した断面図である。
【符号の説明】
【００２７】
１  内側壁板
２  外側壁板
３  間柱
４  横桟部材
５  収納空間部
６  通気用間隙
７  木炭（活性炭）
７ａ  大径の木炭
７ｂ  小径の木炭
８  ネット状部材
９、１０  開口部
１１、１２  フィルター部材
【図１】
2006336210.tif 000003
【図２】
2006336210.tif 000004
【図３】
2006336210.tif 000005
【図４】
2006336210.tif 000006
【図５】
2006336210.tif 000007
【図６】
2006336210.tif 000008